(57)【要約】【課題】現場での配管施工を大幅に省力化でき、その配管施工時間の短期化および人件費の低減が図れるメーター配管ユニットを提供することにある。【解決手段】建物内の流体配管に接続する接続口を一端に有し、他端に計量メーター４０に接続する接続口を有し、かつ閉止弁１２および減圧弁１３を配設する減圧機能付配管１１と、前記計量メーター４０に接続する接続口を一端に有し、他端に建物内の流体配管に接続する接続口を有し、かつ逆流防止弁２１を配設する逆流防止機能付配管２０と、前記減圧機能付配管１１および逆流防止機能付配管２０を積載する積載架台１０とからなり、前記減圧弁１３は、前記減圧機能付配管１１の管軸を中心に回動自在としたものである。【選択図】        図５
2004204481.tif 000002
【特許請求の範囲】
【請求項１】
建物内の流体配管に接続する接続口を一端に有し、他端に計量メーターに接続する接続口を有し、かつ閉止弁および減圧弁を配設する減圧機能付配管と、前記計量メーターに接続する接続口を一端に有し、他端に建物内の流体配管に接続する接続口を有し、かつ逆流防止弁を配設する逆流防止機能付配管と、前記減圧機能付配管および逆流防止機能付配管を積載する積載架台とからなるメーター配管ユニットにおいて、前記減圧弁は、前記減圧機能付配管の管軸を中心に回動自在であることを特徴とするメーター配管ユニット。
【請求項２】
閉止弁および減圧弁は、一体に形成され、かつ減圧機能付配管の管軸を中心に回動自在であることを特徴とする請求項１記載のメーター配管ユニット。
【請求項３】
逆流防止機能付配管は、建物内の流体配管に接続する接続口を複数有することを特徴とする請求項１または請求項２記載のメーター配管ユニット。
【発明の詳細な説明】
【０００１】
【発明の属する技術分野】
この発明は、例えば集合住宅において、各住戸への給水配管系統に水道メーターを交換可能に取り付けるメーター配管ユニットに関するものである。
【０００２】
【従来の技術】
一般に集合住宅において、各住戸内の給水配管設備は、共用部パイプシャフト内の給水立管から住戸毎にそれぞれ専用給水管を分岐して住戸内の各使用個所まで配管している。そして、各住戸の水道水使用量を水道局が計量するために、共用パイプシャフト内で、各専用給水管に水道局より貸与された水道メーターを設置している。
【０００３】
以前は、水道本管から引き込んだ水道水を受水槽で一次貯留し、揚水ポンプにより屋上の高置水槽に揚水して、高置水槽から給水立管を介して各階に水道水を供給する高置水槽方式が主流であった。
近年、受水槽より給水ポンプで直接各使用個所へ水を供給するポンプ直送方式や、受水槽を設置せずに、水道本管より引き込んだ水道水を給水ポンプにより直接各使用個所へ供給する水道直結増圧方式が主流となってきている。
【０００４】
上述のポンプ直送方式や水道直結増圧方式の給水設備の場合、供給ゾーン内での使用水量の変動による圧力変動が高置水槽方式に比べて大きく、また、ポンプからの直送のため、ポンプの制御機構が故障した場合、供給圧力が異常に上昇する恐れもある。そこで、衛生器具に影響を与えないため、また、シャワー等での給水圧力変動による温度変化等を解消するために、共用パイプシャフト内の専用給水管に減圧弁を設置して、各住戸内に供給する給水圧力が一定圧力以上にならないようにしている。
【０００５】
一方、事務所ビルや飲食店ビルの場合においても、各テナントでの水道使用量を計量するために、パイプシャフト内で、給水立管から分岐した各テナント系統の専用給水管に私設メーターを設置していることがある。この場合においても、集合住宅の場合と同様の理由から、テナント系統の専用給水管に減圧弁を設置していることがある。
【０００６】
また、給湯設備において、機械室等に設置した貯湯槽やボイラから給湯水を循環ポンプと循環配管により建物全館を循環させ、各階のパイプシャフト内で専用給湯管を分岐して給湯水を使用個所に供給する中央式給湯方式もある。この方式を採用している事務所ビルや飲食店ビルあるいは集合住宅において、循環配管から分岐した専用給湯管に計量のための私設メーターを設置している場合もある。また、専用給湯管に減圧弁を設置していることもある。
【０００７】
図６は従来の計量メーター廻りの配管構造を示す側面図である。
図において、１は集合住宅の共用パイプシャフト内に配管された給水立管（流体配管）、２はその給水立管１から分岐して各住戸内の使用個所に向け配管された専用給水管である。この専用給水管２には、給水立管１からの給水を遮断する止水弁３と、給水圧力を一定圧力以下に保つための減圧弁４が螺合手段により接続固定されている。したがって、止水弁３および減圧弁４は、一定の向き（方向性が一定）に固定された取付状態となっている。なお、減圧弁４は、異物の流入による故障を防止するためのストレーナー（図示せず）を一次側に有しているものである。
【０００８】
５は水道メーターであって、専用給水管２における減圧弁４の二次側（下流側）に組み付けられている。この水道メーター５は故障時に交換可能な取付構造とするために、その水道メーター５の一次側および二次側の端部にはメーター接続用ソケット６，７が設けられている。これらのメーター接続用ソケット６，７は袋ナットからなって水道メーター５の接続側の端部を着脱自在な構造としているものである。なお、メーター接続用ソケット７は、交換する水道メーター５が従来品と大きさが異なる場合に対応させるために、伸縮機能を有しているものである。また、水道メーター５の二次側の専用給水管には、水道メーター交換時に二次側の管内滞留水が流出しないように逆流防止弁８が設けられている。さらに、逆流防止弁８の二次側の専用給水管には、各住戸の使用個所への単一給水管を接続するための配管接続用ソケット９が接続されている。
なお、各弁類を接続する部分には、接続用ソケットや短管が随時挿入接続されるようになっている。
以上は、各住戸への専用給水系統の計量メーター（水道メーター）廻りの配管構造であるが、各住戸への専用給湯管の計量メータ廻りの配管においても同様の配管構造である。
【０００９】
【発明が解決しようとする課題】
従来の計量メーター廻りの配管は以上のように構成されているので、止水弁３、減圧弁４、メーター接続用ソケット６，７、逆流防止弁８、配管接続用ソケット９等の計量メーター廻りの配管を現場にて順次配管施工しなければならず、このため、その配管施工に多くの時間を費やし、かつ人件費もかかるという課題があった。
【００１０】
また、弁類は銅製品が多く、専用給水管２がライニング鋼管の場合、異種金属腐食防止の観点から弁類の前後に絶縁ソケットか管端腐食防止用の継手を仲介させる必要があり、このため、必然的に計量メーター廻りの配管全長が長くなるという課題があった。特に、集合住宅の共用パイプシャフトにおいては、スペースが狭いため、計量メーター廻りの配管全長が長くなると、その配管を共用パイプシャフト内に収めることが難しくなるという課題があった。
【００１１】
さらに、止水弁３および減圧弁４は専用給水管２に対して回動しないように固定されているため、その止水弁３および減圧弁４の専用給水管２からの突出方向を考慮してパイプシャフト内に収めなければならず、このため、配管施工作業がいっそう面倒となり、メンテナンス時の作業性も悪いという課題があった。すなわち、減圧弁４は、これに内蔵しているストレーナーの定期清掃や減圧機構のダイヤフラム部の定期的なメンテナンスが必要であり、そのメンテナンスは止水弁３で給水を止水して行うことから、前述のようにパイプシャフト内が狭いと、配管を収めることに重点が置かれ、メンテナンス作業がし難い方向の向きに減圧弁４や止水弁３が取り付けられている場合が多いため、メンテナンス時の作業性が非常に悪いという課題があった。
【００１２】
この発明は上記のような課題を解決するためになされたもので、現場での配管施工を大幅に省力化でき、その配管施工時間の短期化および人件費の低減が図れるメーター配管ユニットを提供することを目的とする。
【００１３】
また、この発明は、メンテナンスが容易なメーター配管ユニットを提供することを目的とする。
【００１４】
さらに、この発明は、水道メーターなど計量メーター廻り配管の大幅なコンパクト化が図れ、設置スペースが小さくなり、狭いパイプシャフト内においても容易に設置することができるメーター配管ユニットを提供することを目的とする。
【００１５】
さらに、この発明は、各住戸への専用給水管の接続方向の自由度が向上し、計量メーター廻り配管の二次側以降で、複数方向に分岐して給水する場合でも別途分岐継手を必要としないメーター配管ユニットを提供することを目的とする。
【００１６】
【課題を解決するための手段】
この発明に係るメーター配管ユニットは、建物内の流体配管に接続する接続口を一端に有し、他端に計量メーターに接続する接続口を有し、かつ閉止弁および減圧弁を配設する減圧機能付配管と、前記計量メーターに接続する接続口を一端に有し、他端に建物内の流体配管に接続する接続口を有し、かつ逆流防止弁を配設する逆流防止機能付配管と、前記減圧機能付配管および逆流防止機能付配管を積載する積載架台とからなり、前記減圧弁は、前記減圧機能付配管の管軸を中心に回動自在としたものである。
【００１７】
この発明に係るメーター配管ユニットの閉止弁および減圧弁は、一体に形成され、かつ減圧機能付配管の管軸を中心に回動自在としたものである。
【００１８】
この発明に係るメーター配管ユニットの逆流防止機能付配管は、建物内の流体配管に接続する接続口を複数有するものである。
【００１９】
【発明の実施の形態】
以下、この発明の実施の一形態を説明する。
実施の形態１．
図１はこの発明の実施の形態１によるメーター配管ユニットを示す側面図、図２は図１の平面図、図３は図２のＡ−Ａ断面図、図４は計量メーター設置前のメーター配管ユニットを示す側面図、図５は図１の拡大断面図である。
図において、１０は計量メーター廻りの配管を積載する積載架台であり、この積載架台１０には、減圧機能付配管１１と逆流防止機能付配管２０が設置され、その減圧機能付配管１１と逆流防止機能付配管２０との間に、計量メーター（水道メーターまたは給湯メータ）設置前の代用管３０（図４参照）もしくは計量メーター４０が着脱自在に接続されるようになっている。
【００２０】
前記減圧機能付配管１１は、建物内の流体配管（図６中の給水立管１）に接続する接続口を一端に有し、かつ他端に計量メーター４０に接続する接続口を有するもので、その減圧機能付配管１１には閉止弁１２と減圧弁１３のそれぞれが配設されている。その閉止弁１２と減圧弁１３および後述する袋ナットＮ２は一体に形成され、減圧機能付配管１１の管軸を中心に回動自在となっている。なお、前記閉止弁１２はストレーナー１４を内蔵している。
【００２１】
そして、減圧機能付配管１１の一次側の接続口には、前記流体配管に接続するための袋ナットＮ１が設けられている。この袋ナットＮ１は閉止弁１２に差し込む接合方法となっている。さらに詳しく述べると、袋ナットＮ１の二次側接続口外周面にはシールリング用溝部１９ａが設けられ、この溝部１９ａにシールリング１９が取り付けられており、これにより水密性を保っている。さらに、袋ナットＮ１と減圧機能付配管１１との接合管端部外周にはそれぞれ外向きフランジ１９ｂと１１ａが一体形成され、それらのフランジ１９ｂ，１１ａ相互を突き合わせ接合した状態でそのフランジ１９ｂ，１１ａ相互をクリップＣにより挟み込むことで脱落防止を図っている。
【００２２】
また、一次側メーター接続管１５は、その一次側接続口を減圧機能付配管１１の二次側の袋ナットＮ２に差し込む接合方法となっている。さらに詳しく述べると、一次側メーター接続管１５の一次側接続口の外周面にはシールリング用溝部１５ａが設けられ、この溝部１５ａにシールリング１５ｂを取り付けることで水密性を保っている。さらに、袋ナットＮ２の一次側メーター接続管１５との接続部にはＵ字止めピンＰ１を外部から挿入する４個のピン孔（図示せず）が設けられ、かつ一次側メーター接続管１５の一次側接続口の外周面にはＵ字止めピン用溝部１５ｃが設けられており、袋ナットＮ２への一次側メーター接続管１５の差し込み接合後に、前記ピン孔から前記Ｕ字止めピン用溝部１５ｃにＵ字止めピンＰ１を打ち込むことにより、脱落防止を図っている。
【００２３】
また、一次側メーター接続管１５の二次側管端部には、ゴム製のシールリング１６と金属製のリング状ピン１７および袋ナット１８が設けられ、その袋ナット１８によって代用管３０または計量メーター４０の一次側が前記一次側メーター接続管１５の二次側に着脱自在に接続されるようになっている。
【００２４】
一方、逆流防止機能付配管２０は、代用管３０または計量メーター４０に接続する接続口を一端に有し、かつ他端に建物内に流体配管（計量メーター４０からの給水を住戸内の使用個所まで導く配管）に接続する接続口を有するもので、その逆流防止機能付配管２０内には逆流防止弁Ｖが配設されている。かかる逆流防止機能付配管２０は、図１〜図３に示すように、計量メーター４０の二次側に接続する一次側接続口管部２０ａと、その計量メーター４０の二次側において住戸内の使用個所までの流体配管を接続するための複数の接続口２０ｂ〜２０ｅとを有している。
【００２５】
そして、逆流防止機能付配管２０の一次側接続口管部２０ａには、二次側メーター接続管（直管）２１を介して袋ナット２２により計量メーター４０または代用管３０の二次側が着脱自在に接続されるようになっている。ここで、前記二次側メーター接続管２１は、逆流防止機能付配管２０の一次側接続口管部２０ａに対して伸縮移動可能となっており、その伸縮調整によって計量メーター４０の大きさに対応した長さに調整できるようになっている。なお、前記二次側メーターー接続管２１は、一次側にゴム製のシールリング２３とリング状ピン２４を有し、二次側にシールリング２５を有している。
【００２６】
以上のように構成されたメーター配管ユニットは、図４に示すように、減圧機能付配管１１の二次側と逆流防止機能付配管２０の一次側との間に代用管３０を接続した状態で現場に納入される。そして、現場では、この状態で、パイプシャフト内の定められた位置に設置され、床面と固定されている。そして、減圧機能付配管１１の一次側が袋ナットＮ１により建物内の流体配管（図６中の給水立管１から分岐された専用給水管２）に接続されると共に、逆流防止機能付配管２０の二次側接続口２０ｂ〜２０ｅのうちの少なくとも１つの接続口には、住戸内の使用個所に至る配管が接続される。また、二次側接続口２０ｂ〜２０ｅのうち、配管を接続しないものに関しては、プラグ等で止水される。水圧テスト、管内のフラッシング（清掃）が完了後、代用管３０を取り外して、減圧機能付配管１１の二次側と逆流防止機能付配管２０の一次側との間に計量メーター４０が袋ナット１８，２２によって接続され、配管施工が終了する。
【００２７】
【発明の効果】
以上のように、この発明によれば、閉止弁及び減圧弁を有して一端が建物内の流体配管に接続され、かつ他端が計量メーターに接続される減圧機能付配管と、逆流防止弁を有して一端が計量メーターに接続され、他端が住戸内の流体配管に接続される逆流防止機能付配管とを積載架台に積載してメーター配管ユニットを構成したので、閉止弁や減圧弁およびメーター接続用ソケットや逆流防止弁等のメータ廻り配管をユニットで現場に納入でき、そのユニットをそのまま計量メーター廻り配管の施工個所に設置するだけでよいので、現場での配管施工が大幅に省略化でき、施工時間の短期化および人件費の低減が図れるという効果がある。また、減圧弁が減圧機能付配管の管軸を中心に回動自在な構成としたので、メンテナンス時には作業し易い方向に減圧弁を回動させることができると共に、配管施工時には、メーター配管ユニットを収める際に、減圧弁の方向を考慮せずにパイプシャフト内に配置できるという効果がある。
【００２８】
また、この発明によれば、閉止弁と減圧弁を一体構造として減圧機能付配管の管軸を中心に回動自在となるように構成したので、メンテナンス時には作業し易い方向に閉止弁と減圧弁とを一体回動させることができると共に、配管施工時には、メーター配管ユニットを収める際に、閉止弁および減圧弁の方向を考慮せずにパイプシャフト内に配置できるという効果がある。
【００２９】
さらに、この発明によれば、閉止弁と減圧弁とを一体構造としたことにより、減圧弁と接続配管とメーター接続用ソケットとを一体構造とし、さらに、専用給水管と接続配管とメーター接続用ソケットとを一体構造とすることが可能となり、かつ逆流防止機能付配管に逆流防止弁を内蔵させたことにより、ニップルや短管で接続する構造に比べ計量メーター廻り配管の大幅なコンパクト化が図れ、設置スペースが小さくなり、狭いパイプシャフト内においても設置が容易になるという効果がある。
【００３０】
さらに、この発明によれば、逆流防止機能付配管の二次側に複数の流体配管が接続可能な複数の接続口を有する構成としたので、専用給水管の接続方向の自由度が向上するという効果がある。また、逆流防止機能付配管の二次側以降に、複数に分岐して給水する場合でも別途分岐継手を用意する必要がないという効果がある。
【００３１】
さらに、この発明によれば、上述のように、逆流防止機能付配管の二次側に複数の流体配管が接続可能な複数の接続口を有する構成としたので、配管を接続していない接続口が２箇所以上あれば、水圧テストポンプと圧力計を各接続口に接続し、水圧テストポンプで配管内に水圧を掛けるだけで、住戸内およびパイプシャフト内の配管完了時の水圧テストを行うことができるという効果がある。
【図面の簡単な説明】
【図１】この発明の実施の形態１によるメーター配管ユニットを示す側面図である。
【図２】図１の平面図である。
【図３】図２のＡ−Ａ断面図である。
【図４】計量メーター設置前のメーター配管ユニットを示す側面図である。
【図５】図１の拡大断面図である。
【図６】従来の計量メーター廻り配管構造を示す側面図である。
【符号の説明】
１０  積載架台
１１  減圧機能付配管
１１ａ  フランジ
１２  閉止弁（止水弁）
１３  減圧弁
１４  ストレーナー
１５  一次側メーター接続管
１５ａ  シールリング用溝部
１５ｂ  シールリング
１５ｃ  Ｕ字止めピン用溝部
１６  シールリング
１７  リング状ピン
１８  袋ナット
１９  シールリング
１９ａ  シールリング用溝部
１９ｂ  フランジ
２０  逆流防止機能付配管
２０ａ〜２０ｅ  接続口
２１  二次側メーター接続管
２２  袋ナット
２３  シールリング
２４  リングピン
２５  シールリング
３０  代用管
４０  計量メーター（水道メーターまたは給湯メーター）
Ｃ  クリップ
Ｎ１，Ｎ２  袋ナット
Ｐ１  Ｕ字止めピン
Ｖ  逆流防止弁
【図１】
2004204481.tif 000003
【図２】
2004204481.tif 000004
【図３】
2004204481.tif 000005
【図４】
2004204481.tif 000006
【図５】
2004204481.tif 000007
【図６】
2004204481.tif 000008